【手続補正書】
【提出日】平成19年10月17日(2007.10.17)
【手続補正１】
【補正対象書類名】明細書
【補正対象項目名】発明の名称
【補正方法】変更
【補正の内容】
【発明の名称】モータ軸受監視装置
【手続補正２】
【補正対象書類名】明細書
【補正対象項目名】特許請求の範囲
【補正方法】変更
【補正の内容】
【特許請求の範囲】
【請求項１】  モータの軸受の状態を検出する状態検出手段と、この状態検出手段によって検出された軸受の状態に基づき、当該軸受が異常であるか否かを判別する異常判別手段と、この異常判別手段による判別結果を出力する出力手段と、を有することを特徴とするモータ軸受監視装置。
【請求項２】  請求項１において、前記状態検出手段は、前記軸受のインピーダンスを検出するインピーダンス検出手段であることを特徴とするモータ軸受監視装置。
【請求項３】  請求項１において、前記状態検出手段は、前記軸受が発生する音響を検出する音響センサであることを特徴とするモータ軸受監視装置。
【請求項４】  請求項１において、前記状態検出手段は、前記軸受の温度を検出する温度センサであることを特徴とするモータ軸受監視装置。
【請求項５】 請求項１ないし４のうちのいずれかの項において、前記異常判別手段は、前記軸受が寿命に近いか否かを判別することを特徴とするモータ軸受監視装置。
【請求項６】  請求項１ないし５のうちのいずれかの項において、前記出力手段は、表示装置、スピーカまたはブザーであることを特徴とするモータ軸受監視装置。
【請求項７】  請求項２において、前記軸受は、所定回転数以上の状態では、流体の膜を介して非接触回転状態が形成されるものであり、前記異常検出手段は、前記インピーダンスの変化に基づき、前記モータの起動時において前記軸受が接触回転状態から前記非接触回転状態に切り換わる時点を判別し、当該時点におけるモータ回転数が予め設定されている浮上回転数よりも高い場合には前記軸受が異常であると判別することを特徴とするモータ軸受監視装置。
【請求項８】  請求項２において、前記軸受は、所定回転数以上の状態では、流体の膜を介して非接触回転状態が形成されるものであり、前記異常検出手段は、前記インピーダンスの変化に基づき、前記モータが定常回転状態において前記軸受が接触回転状態にあるか否かを判別し、接触回転状態にある場合、あるいは接触回転状態が瞬間的に繰り返し発生する場合には、前記軸受が異常であると判別することを特徴とするモータ軸受監視装置。
【請求項９】  請求項２において、前記軸受は、所定回転数以上の状態では、流体の膜を介して非接触回転状態が形成されるものであり、前記異常検出手段は、前記インピーダンスの変化に基づき、前記モータの停止時において前記軸受が前記非接触回転状態から接触回転状態に切り換わる時点を判別し、当該時点におけるモータ回転数が予め設定されている接触回転数よりも高い場合には前記軸受が異常であると判別することを特徴とするモータ軸受監視装置。
【請求項１０】  請求項３において、前記軸受は、所定回転数以上の状態では、流体の膜を介して非接触回転状態が形成されるものであり、前記異常検出手段は、前記音響センサの出力に基づき、前記モータが定常回転状態において前記軸受が接触回転状態にあるか否かを判別し、接触回転状態にある場合、あるいは接触回転状態が瞬間的に繰り返し発生する場合には、前記軸受が異常であると判別することを特徴とするモータ軸受監視装置。
【請求項１１】  請求項３において、前記軸受は、所定回転数以上の状態では、流体の膜を介して非接触回転状態が形成されるものであり、前記異常検出手段は、前記音響センサの出力に基づき、前記モータの停止時において前記軸受が前記非接触回転状態から接触回転状態に切り換わる時点を判別し、当該時点におけるモータ回転数が予め設定されている接触回転数よりも高い場合には前記軸受が異常であると判別することを特徴とするモータ軸受監視装置。
【請求項１２】  請求項７、８または９において、前記インピーダンス検出回路は、前記軸受における前記接触回転状態あるいは非接触回転状態で相対回転する第１および第２の軸受要素のうちの一方に電圧を印加する電圧印加手段と、他方からの出力電圧を検出する出力電圧検出手段とを備えており、前記異常判別手段は、前記出力電圧の変化に基づき、前記第１および第２の軸要素が接触回転状態にあるか否かを判別することを特徴とするモータ軸受監視装置。
【請求項１３】  請求項１２において、前記軸受は、ハードディスク用モータにおけるロータをステータに対して回転自在の状態で支持している動圧軸受であることを特徴とするモータ軸受監視装置。
【請求項１４】  請求項１３において、前記ハードディスク用モータは、ベース板と、ハードディスクが搭載されるディスクハブとを備えており、前記ベース板には前記第１及び第２の軸受要素の一方であるスリーブが形成され、前記ディスクハブの中心には他方の軸受要素である回転軸が形成されていることを特徴とするモータ軸受監視装置。
【請求項１５】  請求項１３において、前記ハードディスク用モータは、ベース板と、ハードディスクが搭載されるディスクハブとを備えており、前記ベース板には前記第１及び第２の軸受要素の一方である支軸が固定され、是機ディスクハブの中心には他方の軸受要素であるスリーブが形成されていることを特徴とするモータ軸受監視装置。
【請求項１６】  請求項１４または１５において、前記ハードディスク用モータは前記ベース板あるいは前記ディスクハブに近接配置されたモータケースを備えており、このモータケースを、前記励振用電極あるいは前記検出用電極として用いることを特徴とするモータ軸受監視装置。
【請求項１７】  請求項１６において、前記ベース板には、前記回転軸の端面との間で動圧スラスト軸受を構成している軸受要素としてのカウンタプレートが配置されており、前記カウンタプレートを、前記ベース板から電気的に絶縁して、前記励振用電極あるいは前記検出用電極として用いることを特徴とするモータ軸受監視装置。
【手続補正３】
【補正対象書類名】明細書
【補正対象項目名】０００１
【補正方法】変更
【補正の内容】
【０００１】
【発明の属する技術分野】
本発明は、モータ軸受の異常や寿命が近づいたことを検出可能なモータ軸受監視装置に関するものである。
【手続補正４】
【補正対象書類名】明細書
【補正対象項目名】００１０
【補正方法】削除
【補正の内容】
【手続補正５】
【補正対象書類名】明細書
【補正対象項目名】００３０
【補正方法】変更
【補正の内容】
【００３０】
一方、本発明によるモータ軸受監視装置は、円盤状の記録媒体と、当該記録媒体を回転駆動するディスクモータと、前記記録媒体に対する情報記録および情報再生の少なくとも一方を行なうヘッド手段とを有する記憶装置に適用することができる。
【手続補正６】
【補正対象書類名】明細書
【補正対象項目名】０１１３
【補正方法】変更
【補正の内容】
【０１１３】
また、本発明のモータ軸受監視装置をハードディスクドライブのディスクモータに適用した場合、そのモータ軸受部分の異常が検出されると、その旨の警告を出力すると共に、記憶内容のバックアップをとることを促すメッセージを出力できるので、モータロックが発生して記憶データの再生が不能になるなどの致命的な弊害を回避できる。さらに、異常発生時には、バックアップ用の補助記録媒体によって記録データのバックアップが自動的にとられるので、極めて安全かつ便利である。